(57)【要約】【課題】ＩＰ電話システムでは、システム全体のバックアップ電源を準備しないと、停電時の発着信ができない。とくに着信の代替手段がない。【解決手段】ＩＰ電話端末３００は、受電検出部３０５とバックアップ電源３０４とネットワークサービス起動部３０２とを搭載し、停電を検出したとき、転送電話サービスを使ってアナログ電話などへ転送させる。また、停電からの復旧を検出したとき、ＩＰ電話端末３００は、転送電話サービスによる転送を停止させる。【選択図】図２
2009033513.tif 000002
【特許請求の範囲】
【請求項１】
外部電源からの受電の停止を検出する受電停止検出手段と、内部への電力を所定の時間だけ供給する電源バックアップ手段と、ネットワークサービスの起動を要求するネットワークサービス自動起動手段とを有し、
前記受電停止検出手段が外部電源からの受電の停止を検出したとき、前記電源バックアップ手段は電源供給を開始するとともに、前記ネットワークサービス自動起動手段は予め定められたアドレスにネットワークサービスの起動要求信号を送信することを特徴とするＩＰ電話端末。
【請求項２】
請求項１に記載のＩＰ電話端末であって、
電源スイッチの状態を検出する電源スイッチ状態検出手段と、前記電源スイッチがオン状態で受電停止したことを記録する受電停止履歴記録手段と、受電の再開を検出する受電再開検出手段とを更に有し、
前記受電再開検出手段が受電の再開を検出し、かつ前記受電停止履歴記録手段に電源スイッチがオン状態で受電停止されたことが記録されていたとき、前記ネットワークサービス自動起動手段は前記予め定められたアドレスに前記ネットワークサービスの停止要求信号を送信することを特徴とするＩＰ電話端末。
【請求項３】
請求項１または請求項２に記載のＩＰ電話端末であって、
前記ネットワークサービスは、着信呼の転送や留守録音や着信通知等の不在時の対応サービスであることを特徴とするＩＰ電話端末。
【発明の詳細な説明】
【技術分野】
【０００１】
本発明はＩＰ電話端末に係り、特に停電時にネットワークサービスを起動するＩＰ電話端末に関する。
【背景技術】
【０００２】
通信事業者は、商用電源が停電しても電話サービスを継続できるように交換機に、バッテリと自家発電機からなるバックアップ電源を設けている。特に、アナログ電話やＩＳＤＮ電話は、交換機からの局給電のみで動作するため、商用電源が停電しても発着信が可能である。また、携帯電話も、移動体通信事業者の基地局と利用者の携帯電話端末のバッテリが無くなるまでは、発着信が可能である。
【０００３】
ところが、ＩＰ電話システムでは、ＯＮＵ、ＶｏＩＰアダプタ（ＶｏＩＰゲートウエイ）、ルータ、呼制御サーバ、ハブ、ＩＰ電話端末などＩＰ電話を使うために必要な機器の全ての電源をバックアップしないと、商用電源の停電と同時に発信も着信も出来ない。発信できない問題は、停電用に準備しておくアナログ電話、ＩＳＤＮ電話、携帯電話を利用することで軽減される。しかし、着信については、準備されたアナログ電話等の番号を知らない人からは、不可能となる。これは、特に業務用電話では大きな問題となっている。  もちろん商用電源の停電時には、転送電話サービスや留守番電話サービスの開始設定通知をアナログ電話、ＩＳＤＮ電話、携帯電話などのいずれかを使って行うことは可能である。しかし、停電直後のパニック状態の中では、速やかなサービス開始設定通知が困難である。
【０００４】
また、停電など非常時に備えて設けられたアナログ回線やＩＳＤＮ回線は、日常業務で使うＩＰ電話回線に比べて回線数が少ないこともあり、全ての着信を転送して応答することが困難である。
【０００５】
近年、自然災害に伴う停電は減少している。しかし、ビル等では受変電設備の法定点検を年１回実施する必要があり、年１回停電が発生する。
この停電時の着信対応として、特許文献１では、停電監視およびＩＰ電話機制御装置を通信網内に挿入することにより停電時における通信網からの着信に対応させている。
非特許文献１には、ネットワークサービスの一例として、かかってきた電話を予め設定しておいた電話番号に転送するサービスが記載されている。このサービスは外出先から転送の開始/停止をリモートコントロールできることが、記載されている。
【０００６】
【特許文献１】特開２００５−３２３２５９号公報
【非特許文献１】ＮＴＴサービス窓口、”ボイスワープ”、[online]、ＮＴＴサービス窓口、[平成１９年７月６日検索]、インターネット＜ＵＲＬ：http://www.ntt-flets.jp/add/vw.html＞
【発明の開示】
【発明が解決しようとする課題】
【０００７】
特許文献１に記載された技術では、停電時の発信および着信のための追加の機器および停電時の発信および着信のための追加の機器を動作させ続けるためのシステム全体の電源バックアップ手段を必要としていた。
【０００８】
本発明は懸かる事情に鑑みなされたものであり、本発明の目的は、商用電源が停電しても、ネットワークサーバに設定されたネットワークサービスを開始させるＩＰ電話端末を提供することにある。
【課題を解決するための手段】
【０００９】
上述した課題は、外部電源からの受電の停止を検出する受電停止検出手段と、内部への電力を所定の時間だけ供給する電源バックアップ手段と、ネットワークサービスの起動を要求するネットワークサービス自動起動手段とを有し、受電停止検出手段が外部電源からの受電の停止を検出したとき、電源バックアップ手段は電源供給を開始するとともに、ネットワークサービス自動起動手段は予め定められたアドレスにネットワークサービスの起動要求信号を送信するＩＰ電話端末により、達成できる。
【発明の効果】
【００１０】
本発明によれば、小規模のバックアップ電源で、ネットワークサーバに設定された転送サービスを開始させるＩＰ電話端末を提供できる。
【発明を実施するための最良の形態】
【００１１】
以下本発明の実施の形態について、実施例を用い図面を参照しながら説明する。なお、実質同一部位には同じ参照番号を振り、説明は繰り返さない。
【００１２】
実施例について、図１から図４を参照して説明する。ここで、図１は電話ネットワークのブロック図である。図２はＩＰ電話端末の機能ブロック図である。図３はＩＰ電話端末の停電／受電処理フローチャートである。図４はＩＰ電話端末とネットワークサーバと電話機と携帯電話との間の処理シーケンス図である。
【００１３】
図１において、電話ネットワーク１０００は、ＷＡＮ（Wide Area Network）４００に接続された電話機５００とネットワークサーバ１００と携帯電話基地局９００とネットワーク終端装置７００と、ネットワーク終端装置７００に接続されたＬＡＮ（Local Area Network）２００に、さらに接続されたローカルサーバ８００とＩＰ電話機３００と、携帯基地局と無線接続された携帯電話機６００とから構成されている。
【００１４】
ＩＰ電話端末３００は、ＬＡＮ２００に接続され電源バックアップ機能を持ったネットワーク終端装置７００を介してＷＡＮ４００へと接続される。ここで、ＬＡＮ２００は通常のＰＢＸやボタン電話主装置等の内線であっても良い。また、ＷＡＮ４００はアナログ網、ＩＳＤＮ網等の電話網を含む。携帯電話６００は、予め登録されたＩＰ電話端末３００宛着信の転送先となる携帯電話である。基地局９００は、携帯端末６００と通信する無線端末の基地局である。
【００１５】
ネットワークサーバ１００は、ＷＡＮ４００側にあり、通常の呼接続のほか、転送電話・通話録音・着信通知などのネットワークサービスを提供する。電話機５００は、ＷＡＮ４００に接続された一般の電話機である。
ローカルサーバ８００は、通常時ＩＰ電話端末３００を含むＬＡＮ２００に接続された電話システムの発着信を制御する。
【００１６】
電話ネットワーク１０００において、電話機５００からＩＰ電話端末３００に発信するとき、ネットワークサーバ１００、ネットワーク終端装置７００、ローカルサーバ８００がこの順で呼を接続する。また、電話機５００から携帯電話６００に発信するとき、ネットワークサーバ１００と、携帯電話基地局９００とがこの順で呼を接続する。
【００１７】
通常、ＬＡＮ２００側のそれぞれの機器は商用電源より受電して動作している。ここで、商用電源が停電するとネットワーク終端装置７００は電源バックアップ機能による動作に切り替わり、ＩＰ電話端末３００も後述するバックアップ電源部による動作に切り替わる。ＩＰ電話端末３００は、またネットワーク終端装置７００を介してＷＡＮ４００側にあるネットワークサーバ１００に対して、予め定められたネットワークサービスの起動を要求する信号を送信する。
【００１８】
図２を参照して、ＩＰ電話端末の機能ブロックを説明する。図２において、ＩＰ電話端末３００は、受電部３１０と、バックアップ電源部３０４と、受電部３１０と受電部３１０の電源スイッチ３１１とを監視する受電検出部３０５と、受電検出部３０５の制御に基づいて受電部３１０とバックアップ電源部との一方を選択し、ＩＰ電話端末３００の各部に供給する電源切替部３０６と、受電検出部３０５の制御に基づいて、転送／代理応答等のネットワークサービスを起動／停止するネットワークサービス起動部３０２と、ネットワークサービス起動部３０２に接続され受電停止履歴を管理する受電停止履歴記録部３０７と、ネットワークサービス起動部３０２とＬＡＮ２００とを接続する通信制御部３０１とから構成される。なお、図２において、ＩＰ電話端末としての電話機能の機能ブロック（マンマシンインターフェース部他）は、記載を省いた。ネットワークサービス起動部３０２は、コンピュータ上で実行されるプログラムによって実現する。呼接続等のＩＰ電話端末としての機能も、おなじコンピュータ上で実行されるプログラムによって実現する。
【００１９】
図２において、通信制御部３０１は、ＬＡＮ２００との接続部であり音声や制御データの送受信を行う。ネットワークサービス起動部３０２は、受電検出部３０５から受電停止検出を通知されると受電停止履歴記録部３０７へ電源スイッチ３１１がオン状態で受電停止したことを受電停止履歴として保存する。ネットワークサービス起動部３０２は、また通信制御部３０１を介してネットワークサービス起動要求をＬＡＮ２００へ送信する。さらにネットワークサービス起動部３０２は、受電検出部３０５から受電再開を通知されると受電停止履歴記録部３０７の受電停止履歴を確認し電源スイッチ３１１がオン状態で受電停止と記録されていたなら通信制御部３０１を介してネットワークサービス停止要求を送信する。
【００２０】
受電部３１０は、商用電源からの受電を行い、電源供給が絶たれても状態を保持する自己保持型の電源スイッチ３１１を備えている。バックアップ電源部３０４は、電話端末に搭載の予備電源（２次電池または１次電池）である。  受電検出部３０５は、受電部３０３の受電の停止および復旧を検出し、その状態をネットワークサービス起動部３０２へと通知する。電源切替部３０６は、受電検出部３０５からの指示により電話端末内に供給する電源元を受電部３１０またはバックアップ電源部３０４のどちらかに切替える。受電停止履歴記録部３０７は、ＩＰ電話端末３００の受電停止履歴を保存する。
【００２１】
なお、ネットワークサービス起動部３０２に図示しない乱数タイマ（０〜５分）を設けて、受電検出部の通知（受電停止／受電再開）から、サービス起動／停止要求の送信までの時間をランダムに遅延させても良い。これは、停電によるネットワークサーバ１００へのサービス起動／停止要求の輻輳を防止するためである。
【００２２】
図３を参照して、ＩＰ電話端末３００の処理を説明する。図３において、フローは、ＩＰ電話端末３００が商用電源にて動作開始した時にＳＴＡＲＴする。ＩＰ電話端末３００は、受電検出部３０５が受電の停止を検出判定する（Ｓ３０１）。ＹＥＳなら、受電検出部３０５は、受電部３１０の電源スイッチ３１１の状態がＯＮか判定する（Ｓ３０２）。電源スイッチ３１１がＯＦＦの場合（Ｓ３０２：ＮＯ）、受電検出部３０５は、通常の停止と見なし特別な処理は行わず、終了する。電源スイッチ３１１がＯＮであれば（Ｓ３０２：ＹＥＳ）、受電検出部３０５は、ネットワークサービス起動部３０２に受電の停止を通知する。ネットワークサービス起動部３０２は、受電検出部３０５からの通知により通信制御部３０１を介してＬＡＮ２００へ予め登録しておいたネットワークサービスの起動を要求する通知を送出する（Ｓ３０３）。ネットワークサービス起動部３０２は、また、受電停止履歴記録部３０７へ電源スイッチ３１１がＯＮ状態で受電停止したことを受電停止履歴として記録する（Ｓ３０４）。この状態で、ＩＰ電話端末３００は、処理を終了する。なお、図示の簡便のため省いたが、受電検出部３０５は、電源切替部３０６にも受電の停止を通知する。受電停止の通知を受信した電源切替部３０６は、各部に供給する電源をバックアップ電源部３０４に切替える。また、電源切替部３０６は、受電停止履歴の記録が終了した時点で、受電部３１０側に切戻す。ここで、電源切替部３０６は、切替え用リレーの受電部３１０側の接点をデフォルト（電源供給を絶たれたときの選択側）としておけば、切戻しをせずに、バッテリ供給が切れるのを待っても良い。
【００２３】
ステップ３０１において、受電検出部３０５が受電を検出したなら（Ｓ３０１：ＮＯ）、受電検出部３０５は、ネットワークサービス起動部３０２へ受電開始を通知する。ネットワークサービス起動部３０２は、受電停止履歴記録部３０７にある受電停止履歴を確認する（Ｓ３０５）。ステップ３０４の電源スイッチがオン状態で受電停止されたことが記録されていたならば（Ｓ３０５：ＹＥＳ）、ネットワークサービス起動部３０２は受電の復旧と判断し、通信制御部３０１を介してＬＡＮ２００へネットワークサービスの停止を要求する通知を送信し（Ｓ３０６）、受電停止履歴記録部３０７の受電停止履歴を削除して（Ｓ３０７）、受電監視を継続するためステップ３０１に戻る。受電停止履歴記録部３０７に受電停止履歴が無かったならば（Ｓ３０５：ＮＯ）、ネットワークサービス起動部３０２は、なにもせずステップ３０１に戻る。
【００２４】
図４を参照して、受電停止時と受電再開時の処理シーケンスを説明する。なお、図示の簡便のため、ネットワーク終端装置７００、携帯電話基地局９００は、図示を省いた。また、ネットワークサービスは、事前に契約済みであることを前提としている。
【００２５】
図４において、まずＩＰ電話端末３００は、受電の停止を検出する（Ｓ４０１）。ＩＰ電話端末３００は、ネットワークサーバ１００宛てに携帯電話６００を転送先とする転送サービスの起動要求を送信する（Ｓ４０２）。転送サービスの起動要求を受け取ったネットワークサーバ１００は、その内容に基づいて転送サービスを起動する（Ｓ４０３）。
【００２６】
ここで、電話機５００からＩＰ電話端末３００あての着信があったとする（Ｓ４０４）。ネットワークサーバ１００は、転送サービスにより図示しない基地局９００を介して携帯電話６００へと呼び出しを行い（Ｓ４０５）、携帯電話６００と電話機５００間で通話を確立する。
【００２７】
ＩＰ電話端末３００は、受電の復旧を検出すると（Ｓ４０７）、ネットワークサーバ１００へと転送サービスの停止要求を送信する（Ｓ４０８）。転送サービスの停止要求を受け取ったネットワークサーバ１００は、転送サービスを停止する（Ｓ４０９）。
【００２８】
上述した実施例では、携帯電話６００への転送サービスを例に説明したが、アナログ電話、ＩＳＤＮ電話でもよい。また、転送先として無停電バックアップされている局給電で動作するＬＡＮ２００内の他の電話機であっても良い。ネットワークサービスには、着呼を予め登録したアナログ電話などへ自動的に転送する転送サービス、着呼を録音する通話録音サービス、呼の着信をメールで知らせる着信通知サービス等がある。
【００２９】
上述した実施例に拠れば、電話端末にバックアップ電源を搭載し、転送電話サービスを使ってアナログ電話、ＩＳＤＮ電話、携帯電話などへ自動的に転送を開始することができる。また、通話録音サービスを使って通話録音を開始することもできる。
【００３０】
上述した実施例に拠れば、さらに、ＩＰ電話端末とそのＩＰ電話端末の接続されているネットワーク終端装置のみを電源バックアップすれば良く、その他の機器をバックアップする必要が無い。バックアップの必要な時間も最低限ネットワークサービスの開始設定通知を送信する分だけあれば良いので小容量のバックアップ電源で済ますことが出来る。このため、電源バックアップに要する設備コストを大幅に低減できる。さらに、商用電源の停電時に、該当エリアにある電話端末が一斉にネットワークサービスの開始設定通知を行わないように開始設定通知タイミングを機器毎にずらすことが出来るので、ネットワークの負担増加により電話が繋がり難くなる問題を軽減できる効果もある。
【図面の簡単な説明】
【００３１】
【図１】電話ネットワークのブロック図である。
【図２】ＩＰ電話端末の機能ブロック図である。
【図３】ＩＰ電話端末の停電／受電処理フローチャートである。
【図４】ＩＰ電話端末とネットワークサーバと電話機と携帯電話との間の処理シーケンス図である。
【符号の説明】
【００３２】
１００…ネットワークサーバ、２００…ＬＡＮ、３００…ＩＰ電話端末、３０１…通信制御部、３０２…ネットワークサービス起動部、３０４…バックアップ電源部、３０５…受電検出部、３０６…電源切替部、３０７…受電停止履歴記録部、３１０…受電部、３１１…電源スイッチ、４００…ＷＡＮ、５００…電話機、６００…携帯電話機、７００…ネットワーク終端装置、８００…ローカルサーバ、９００…携帯電話基地局、１０００…電話ネットワーク。
【図１】
2009033513.tif 000003
【図２】
2009033513.tif 000004
【図３】
2009033513.tif 000005
【図４】
2009033513.tif 000006